(57)【要約】【課題】外部からの静電気による放電が駆動回路に到達することを抑制することができ、かつ、額縁を細くして全体を小型化することができる表示装置及びそれを備えた電子機器を提供する。【解決手段】表示装置は、基板と、基板上に配置された駆動回路と、基板上の駆動回路よりも外側に配置された共通配線と、基板上の駆動回路よりも外側で、かつ、駆動回路の延在方向において、駆動回路が配置されている領域の全域に配置された補助配線と、補助配線及び等電位部に接続された抵抗と、補助配線及び等電位部に接続された静電容量部と、を有する。【選択図】図２
2014106427.tif 000002
【特許請求の範囲】
【請求項１】
基板と、
前記基板上に配置された駆動回路と、
前記基板上の前記駆動回路よりも外側に配置された共通配線と、
前記基板上の前記駆動回路よりも外側で、かつ、前記駆動回路の延在方向において、前記駆動回路が配置されている領域の全域に配置された補助配線と、
前記補助配線及び等電位部に接続された抵抗と、
前記補助配線及び前記等電位部に接続された静電容量部と、を有することを特徴とする表示装置。
【請求項２】
前記補助配線は、前記共通配線よりも外側に配置されていることを特徴とする請求項１に記載の表示装置。
【請求項３】
前記補助配線は、前記共通配線よりも内側に配置されていることを特徴とする請求項１に記載の表示装置。
【請求項４】
前記静電容量部は、容量が１００ｎＦ以上であることを特徴とする請求項１から３のいずれか一項に記載の表示装置。
【請求項５】
前記静電容量部は、複数のコンデンサを含むことを特徴とする請求項１から４のいずれか一項に記載の表示装置。
【請求項６】
前記静電容量部は、前記基板の四隅の近傍の領域及び前記駆動回路が配置されている辺に直交する辺に沿った領域の少なくとも一箇所に配置されていることを特徴とする請求項１から５のいずれか一項に記載の表示装置。
【請求項７】
前記補助配線は、前記基板の表面に直交する方向において、走査線を形成する層と、信号線を形成する層との両方に配置されていることを特徴とする請求項１から６のいずれか一項に記載の表示装置。
【請求項８】
請求項１から７のいずれか一項に記載の表示装置と、
前記表示装置に映像信号を供給する制御装置と、を有する電子機器。
【発明の詳細な説明】
【技術分野】
【０００１】
本技術は、液晶層を備える表示装置に関する。また、本技術は、液晶層を備える表示装置を備えた電子機器に関する。
【背景技術】
【０００２】
近年、携帯電話や電子ペーパーなどのモバイル機器向けの表示装置の需要が高くなっている。表示装置は、表示領域の周囲に、表示領域の画素を駆動する駆動回路が設けられている。駆動回路は、精密機器であるため、静電気による放電が故障の原因となる。
【０００３】
ここで、特許文献１及び２には、基板の製造時に静電気の影響を防ぐための技術が開示されている。特許文献１は、表示装置ではなく放射線画像検出装置等に用いる画像検出装置であるが、過大電圧から回路を保護するため回路を保護するための２つの共通配線を設けることが記載されている。また、特許文献２には、走査線（ゲートライン）および補助容量線（ＳＣライン）と同一層の導電膜で形成され、かつ走査線および補助容量線のそれぞれに対し、放電可能な間隔を有した独立のパターンとを備える表示装置が記載されている。
【先行技術文献】
【特許文献】
【０００４】
【特許文献１】特開２００９−８５９３８号公報
【特許文献２】特開２００５−２０８３０５号公報
【発明の概要】
【発明が解決しようとする課題】
【０００５】
ここで、表示装置は、小型のため、基板上に配置する駆動回路を設置するスペースが小さくなっている。また、表示装置は、高精細化のため、基板上に配置する駆動回路が多くなっている。このため、配線間の距離や、配線から基板の縁まで距離が短くなる。配線が基板の端部まで延在すると、基板の外から供給される静電気の放電により電流が流れる恐れがある。これに対して、特許文献１及び２に記載の装置は、静電気による放電が駆動回路に悪影響を及ぼす恐れがある。
【０００６】
本技術はかかる問題点に鑑みてなされたもので、その目的は、外部からの静電気による放電が駆動回路に到達することを抑制することができ、かつ、額縁を細くして全体を小型化することができる表示装置及びそれを備えた電子機器を提供することにある。
【課題を解決するための手段】
【０００７】
本技術による表示装置は、基板と、前記基板上に配置された駆動回路と、前記基板上の前記駆動回路よりも外側に配置された共通配線と、前記基板上の前記駆動回路よりも外側で、かつ、前記駆動回路の延在方向において、前記駆動回路が配置されている領域の全域に配置された補助配線と、前記補助配線及び等電位部に接続された抵抗と、前記補助配線及び前記等電位部に接続された静電容量部と、を有する。
【０００８】
本技術による表示装置及び電子機器では、外部から静電気が流入しても、駆動回路に流入する前に補助配線に流入させ、静電容量部に蓄積することができる。これにより、流入した静電気の電圧を低下させることができ、駆動回路に悪影響を与える恐れを低減することができる。また、静電容量部に蓄積し、抵抗で消費させることで、表示装置の等電位部に悪影響を与える恐れも低減することができ、他の機器に影響する恐れを低減することができる。
【発明の効果】
【０００９】
本技術による表示装置及び電子機器によれば、外部からの静電気による放電が駆動回路に到達することを抑制することができ、かつ、額縁を細くして全体を小型化することができる。
【図面の簡単な説明】
【００１０】
【図１】図１は、実施形態１に係る表示装置の構成の一例を表す説明図である。
【図２】図２は、図１の表示装置のシステム構成例を表すブロック図である。
【図３】図３は、第１実施形態に係る表示装置の概略断面構造を表す断面図である。
【図４】図４は、第１実施形態に係る表示装置の画素配列を表す回路図である。
【図５】図５は、第１実施形態に係る表示装置の保護機構の機能を示す模式図である。
【図６】図６は、第１実施形態に係る表示装置の変形例の保護機構の概略構成を示す模式図である。
【図７】図７は、第２実施形態に係る表示装置のシステム構成例を表すブロック図である。
【図８】図８は、第３実施形態に係る表示装置のシステム構成例を表すブロック図である。
【図９】図９は、第４実施形態に係る表示装置のシステム構成例を表すブロック図である。
【図１０】図１０は、表示装置の保護機構の構成を模式的に示すブロック図である。
【図１１】図１１は、表示装置の保護機構で検出される電圧の計測結果を示すグラフである。
【図１２】図１２は、表示装置の保護機構で検出される電圧の計測結果を示すグラフである。
【図１３】図１３は、表示装置の保護機構で検出される電圧の計測結果を示すグラフである。
【図１４】図１４は、本実施形態に係る表示装置を適用する電子機器の一例を示す図である。
【図１５】図１５は、本実施形態に係る表示装置を適用する電子機器の一例を示す図である。
【図１６】図１６は、本実施形態に係る表示装置を適用する電子機器の一例を示す図である。
【図１７】図１７は、本実施形態に係る表示装置を適用する電子機器の一例を示す図である。
【図１８】図１８は、本実施形態に係る表示装置を適用する電子機器の一例を示す図である。
【図１９】図１９は、本実施形態に係る表示装置を適用する電子機器の一例を示す図である。
【図２０】図２０は、本実施形態に係る表示装置を適用する電子機器の一例を示す図である。
【図２１】図２１は、本実施形態に係る表示装置を適用する電子機器の一例を示す図である。
【図２２】図２２は、本実施形態に係る表示装置を適用する電子機器の一例を示す図である。
【図２３】図２３は、本実施形態に係る表示装置を適用する電子機器の一例を示す図である。
【図２４】図２４は、本実施形態に係る表示装置を適用する電子機器の一例を示す図である。
【図２５】図２５は、本実施形態に係る表示装置を適用する電子機器の一例を示す図である。
【発明を実施するための形態】
【００１１】
以下、発明を実施するための形態について、図面を参照して詳細に説明する。なお、説明は以下の順序で行う。
１．実施の形態（表示装置）
１−１．第１実施形態
１−２．第２実施形態
１−３．第３実施形態
１−４．第４実施形態
１−５．計測結果
２．適用例（電子機器）
上記実施の形態に係る表示装置が電子機器に適用されている例
【００１２】
＜１−１．第１実施形態＞
[構成]
図１は、本技術による第１実施形態に係る表示装置の構成の一例を表す説明図である。図１は模式的に表したものであり、実際の寸法、形状と同一とは限らない。なお、表示装置１が本技術の「表示装置」の一具体例に相当する。
【００１３】
表示装置１は、表示エリア部２１を備える表示パネル２と、ドライバＩＣ３と、フレキシブルプリント基板（ＦＰＣ（Flexible  Printed  Circuits））５０と、を備えている。フレキシブルプリント基板５０は、ドライバＩＣ３への外部信号またはドライバＩＣ３を駆動する駆動電力を伝送する。表示エリア部２１は、液晶セルを含む画素がマトリクス状（行列状）に多数配置されており、画像を表示する。
【００１４】
（表示装置のシステム構成例）
図２は、図１の表示装置のシステム構成例を表すブロック図である。表示パネル２は、透明基板上に、表示エリア部２１と、インターフェース（Ｉ／Ｆ）及びタイミングジェネレータの機能を備えるドライバＩＣ３と、垂直駆動回路２２Ａ、２２Ｂ及び水平駆動回路２３と、保護機構６０と、を有する。垂直駆動回路２２Ａ、２２Ｂは、それぞれ垂直ドライバ２２１Ａ、２２１Ｂを有する。水平駆動回路２３は、水平ドライバ２３１及びバッファ回路２３２を有している。表示装置１は、表示エリア部２１にアモルファスシリコンＴＦＴを使用した場合、水平ドライバ２３１をＩＣで作成し、ガラス（透明基板）上に圧着する。また、表示装置１は、小型高精細パネルの場合、垂直ドライバ２２１Ａ、２２１Ｂの回路をＴＦＴで作成することが多い。また、表示装置１は、水平ドライバ２３１及び垂直ドライバ２２１Ａ、２２１Ｂの少なくとも一方とドライバＩＣ３とを１つのＩＣ内に作成する場合もある。
【００１５】
表示エリア部２１は、後述する液晶層を含む画素４が、表示上の１画素を構成するユニットがｍ行×ｎ列に配置されたマトリクス（行列状）構造を有している。なお、この明細書において、行とは、一方向に配列されるｎ個の画素４を有する画素行をいう。また、列とは、行が配列される方向と直交する方向に配列されるｍ個の画素４を有する画素列をいう。そして、ｍとｎとの値は、垂直方向の表示解像度と水平方向の表示解像度に応じて定まる。表示エリア部２１は、画素４のｍ行ｎ列の配列に対して行ごとに走査線（ゲート線）２４１、２４２、２４３・・・２４ｍが配線され、列ごとに信号線（シグナル線）２５１、２５２、２５３・・・２５ｎが配線されている。以後、実施の形態においては、走査線２４１、２４２、２４３・・・２４ｍを代表して走査線２４と表記し、信号線２５１、２５２、２５３・・・２５ｎを代表して信号線２５と表記することがある。
【００１６】
表示パネル２には、外部から外部信号である、マスタークロック、水平同期信号及び垂直同期信号が入力され、ドライバＩＣ３に与えられる。ドライバＩＣ３は、外部電源の電圧振幅のマスタークロック、水平同期信号及び垂直同期信号を、液晶の駆動に必要な内部電源の電圧振幅にレベル変換（昇圧）し、マスタークロック、水平同期信号及び垂直同期信号としてタイミングジェネレータを通し、垂直スタートパルス、垂直クロックパルス、水平スタートパルス及び水平クロックパルスを生成する。ドライバＩＣ３は、垂直スタートパルス、垂直クロックパルスを垂直駆動回路２２Ａ、２２Ｂに与えるとともに、水平スタートパルス及び水平クロックパルスを水平駆動回路２３に与える。ドライバＩＣ３は、画素４毎の画素電極に対して各画素共通に与えるコモン電位（対向電極電位）と、このコモン電位と同相の制御パルス及び逆相の制御パルスを生成して表示エリア部２１に与える。具体的には、ドライバＩＣ３は、共通配線３１が接続されており、共通配線にコモン電位（対向電極電位）を与える。共通配線３１は、表示パネル２の外縁に沿って配置されており、表示エリア部２１と、垂直駆動回路２２Ａ、２２Ｂ及び水平駆動回路２３とが配置されている領域の周囲を囲んでいる。
【００１７】
垂直駆動回路２２Ａ、２２Ｂは、表示エリア部２１を挟むように配置されている。なお、垂直駆動回路２２Ａ、２２Ｂは、表示エリア部２１の一辺側に寄せて配置されていてもよい。垂直駆動回路２２Ａ、２２Ｂは、シフトレジスタ、垂直ドライバ２２１Ａ、２２１Ｂ等から構成される。垂直駆動回路２２Ａ、２２Ｂは、上述した垂直スタートパルスが与えられることで、走査を開始し、垂直クロックパルスに同期して、上から、または下から順に走査線に走査信号を出力し、走査線につながる画素４のトランジスタをＯＮし、画素電圧が書き込まれるようにする。
【００１８】
水平駆動回路２３には、例えば６ビットのＲ（赤）、Ｇ（緑）、Ｂ（青）のデジタル映像データが与えられる。水平駆動回路２３は、垂直駆動回路２２による垂直走査によって選択された行の各画素４に対して、画素ごとに、もしくは複数画素ごとに、あるいは全画素一斉に、信号線２５１、２５２、２５３・・・２５ｎを介して表示データを書き込む。
【００１９】
保護機構６０は、補助配線６１と抵抗６２とコンデンサ６３とを有するユニットを２つ備える。１つのユニットの補助配線６１は、垂直ドライバ２２１Ａと共通配線３１との間に配置されている。補助配線６１は、垂直ドライバ２２１Ａの延在方向において、垂直ドライバ２２１Ａが配置されている領域の全域に配置されている。抵抗６２は、一方が補助配線６１と接続され、他方が接地（アース）されている。コンデンサ６３は、一方が補助配線６１と接続され、他方が接地（アース）されている。抵抗６２及びコンデンサ６３は、表示パネル２の表面において、補助配線６１が設けられている辺と、ドライバＩＣ３が設けられている辺との交点となる隅の近傍に配置されている。また、もう１つのユニットの補助配線６１は、垂直ドライバ２２１Ｂと共通配線３１との間に配置されている。補助配線６１は、垂直ドライバ２２１Ｂの延在方向において、垂直ドライバ２２１Ｂが配置されている領域の全域に配置されている。また、抵抗６２は、一方が補助配線６１と接続され、他方が接地（アース）されている。コンデンサ６３は、一方が補助配線６１と接続され、他方が接地（アース）されている。もう１つのユニットの抵抗６２及びコンデンサ６３も、表示パネル２の表面において、補助配線６１が設けられている辺と、ドライバＩＣ３が設けられている辺との交点となる隅の近傍に配置されている。保護機構６０の作用については、後述する。
【００２０】
次に、表示エリア部２１の構成例を詳細に説明する。図３は、第１実施形態に係る表示装置の概略断面構造を表す断面図である。図４は、第１実施形態に係る表示装置の画素配列を表す回路図である。図３に示すように、表示装置１の表示エリア部２１は、画素基板２１Ａと、この画素基板２１Ａの表面に垂直な方向に対向して配置された対向基板２１Ｂと、画素基板２１Ａと対向基板２１Ｂとの間に挿設された液晶層２１Ｃとを備えている。
【００２１】
液晶層２１Ｃは、電界の状態に応じてそこを通過する光を変調するものであり、例えば、ＴＮ（Twisted  Nematic：ツイステッドネマティック）、ＶＡ（Vertical  Alignment：垂直配向）、ＥＣＢ（Electrically Controlled Birefringence：電界制御複屈折）、ＦＦＳ（Fringe Field Switching）等の各種モードの液晶が用いられる。なお、図３に示す液晶層２１Ｃと画素基板２１Ａとの間、及び液晶層２１Ｃと対向基板２１Ｂとの間には、それぞれ配向膜が配設されてもよい。
【００２２】
対向基板２１Ｂは、ガラス基板７５と、このガラス基板７５の一方の面に形成されたカラーフィルタ７６と、を含む。ガラス基板７５の他方の面には、偏光板７３Ａが配設されている。カラーフィルタ７６は、赤（Ｒ）、緑（Ｇ）、青（Ｂ）の３色に着色された色領域を含む。カラーフィルタ７６は、例えば赤（Ｒ）、緑（Ｇ）、青（Ｂ）の３色に着色されたカラーフィルタの色領域を周期的に配列して、上述した図４に示す各画素ＶｐｉｘにＲ、Ｇ、Ｂの３色の色領域が１組として画素Ｐｉｘとして対応付けられている。カラーフィルタ５２は、ＴＦＴ基板７１と垂直な方向において、液晶層２１Ｃと対向する。なお、カラーフィルタ７６は、異なる色に着色されていれば、他の色の組み合わせであってもよい。一般に、カラーフィルタ７６は、緑（Ｇ）の色領域の輝度が、赤（Ｒ）の色領域及び青（Ｂ）の色領域の輝度よりも高い。また、コモン電極ＣＯＭＬは、ＩＴＯ（Indium  Tin  Oxide）等の透明導電材料（透明導電酸化物）で形成される透明電極である。
【００２３】
画素基板２１Ａは、回路基板としてのＴＦＴ基板７１と、このＴＦＴ基板７１上にマトリックス状に配設された複数の画素電極７２と、ＴＦＴ基板７１及び画素電極７２の間に形成されたコモン電極ＣＯＭＬと、画素電極７２とコモン電極ＣＯＭＬとを絶縁する絶縁層７４と、ＴＦＴ基板７１の下面側には入射側の偏光板７３Ｂとを含む。
【００２４】
ＴＦＴ基板７１には、図４に示す各画素Ｖｐｉｘの薄膜トランジスタ（ＴＦＴ；Thin Film Transistor）素子Ｔｒ、各画素電極７２に画素信号を供給する信号線２５ｎ＋１、２５ｎ＋２、２５ｎ＋３、ＴＦＴ素子Ｔｒを駆動する走査線２４ｍ＋１、２４ｍ＋２、２４ｍ＋３等の配線が形成されている。このように、信号線２５ｎ＋１、２５ｎ＋２、２５ｎ＋３は、ＴＦＴ基板７１の表面と平行な平面に延在し、画素に画像を表示するための画素信号を供給する。信号線２５ｎ＋１、２５ｎ＋２、２５ｎ＋３、は、ＧＮＤには接続されず、フローティング状態にある。図４に示す表示エリア部２１は、マトリックス状に配列した複数の画素Ｖｐｉｘを有している。画素Ｖｐｉｘは、ＴＦＴ素子Ｔｒ及び液晶素子ＬＣを備えている。ＴＦＴ素子Ｔｒは、薄膜トランジスタにより構成されるものであり、この例では、ｎチャネルのＭＯＳ（Metal Oxide Semiconductor）型のＴＦＴで構成されている。ＴＦＴ素子Ｔｒのソースは、信号線２５ｎ＋１、２５ｎ＋２、２５ｎ＋３に接続され、ゲートは走査線２４ｍ＋１、２４ｍ＋２、２４ｍ＋３に接続され、ドレインは液晶素子ＬＣの一端に接続されている。液晶素子ＬＣは、一端がＴＦＴ素子Ｔｒのドレインに接続され、他端がコモン電極ＣＯＭＬに接続されている。
【００２５】
画素Ｖｐｉｘは、走査線２４ｍ＋１、２４ｍ＋２、２４ｍ＋３により、表示エリア部２１の同じ行に属する他の画素Ｖｐｉｘと互いに接続されている。例えば、走査線２４ｍ＋１、２４ｍ＋２、２４ｍ＋３のうち奇数の走査線２４ｍ＋１、２４ｍ＋３は、垂直ドライバ２２１Ａと接続され、垂直ドライバ２２１Ａから後述する走査信号が供給される。走査線２４ｍ＋１、２４ｍ＋２、２４ｍ＋３のうち偶数の走査線２４ｍ＋２、２４ｍ＋４は、垂直ドライバ２２１Ｂと接続され、垂直ドライバ２２１Ｂから、走査信号が供給される。このように、垂直ドライバ２２１Ａ、垂直ドライバ２２１Ｂは、走査方向の走査線２４ｍ＋１、２４ｍ＋２、２４ｍ＋３に交互に垂直走査パルスを印加する。また、画素Ｖｐｉｘは、信号線２５ｎ＋１、２５ｎ＋２、２５ｎ＋３により、表示エリア部２１の同じ列に属する他の画素Ｖｐｉｘと互いに接続されている。信号線２５ｎ＋１、２５ｎ＋２、２５ｎ＋３は、水平ドライバ２３１と接続され、水平ドライバ２３１より画素信号が供給される。さらに、画素Ｖｐｉｘは、コモン電極ＣＯＭＬにより、表示エリア部２１の同じ列に属する他の画素Ｖｐｉｘと互いに接続されている。コモン電極ＣＯＭＬは、共通配線３１を介してドライバＩＣ３と接続され、ドライバＩＣ３より駆動信号が供給される。
【００２６】
図２に示す垂直ドライバ２２１Ａ、２２１Ｂは、垂直走査パルスを、図３に示す信号線２５ｎ＋１、２５ｎ＋２、２５ｎ＋３を介して、画素ＶｐｉｘのＴＦＴ素子Ｔｒのゲートに印加することにより、表示エリア部２１にマトリックス状に形成されている画素Ｖｐｉｘのうちの１行（１水平ライン）を表示駆動の対象として順次選択する。図２に示す水平ドライバ２３１は、画素信号を、図４に示す信号線２５ｎ＋１、２５ｎ＋２、２５ｎ＋３を介して、垂直ドライバ２２１Ａ、２２１Ｂにより順次選択される１水平ラインを含む各画素Ｖｐｉｘにそれぞれ供給する。そして、これらの画素Ｖｐｉｘでは、供給される画素信号に応じて、１水平ラインの表示が行われるようになっている。ドライバＩＣ３は、コモン信号Ｖｃｏｍを印加する。
【００２７】
上述したように、表示装置１は、垂直ドライバ（ゲートドライバ）２２１Ａ、２２１Ｂが走査線２４ｍ＋１、２４ｍ＋２、２４ｍ＋３を順次走査するように駆動することにより、１水平ラインが順次選択される。また、表示装置１は、１水平ラインに属する画素Ｖｐｉｘに対して、水平ドライバ２３１が画素信号を供給することにより、１水平ラインずつ表示が行われる。
【００２８】
表示装置１は、液晶素子ＬＣに同極性の直流電圧が印加され続けることによって液晶の比抵抗（物質固有の抵抗値）等が劣化する可能性がある。表示装置１は、液晶の比抵抗（物質固有の抵抗値）等の劣化を防ぐため、駆動信号のコモン電位を基準として映像信号の極性を所定の周期で反転させる駆動方式が採られる。
【００２９】
この表示パネルの駆動方式として、ライン反転、ドット反転、フレーム反転などの駆動方式が知られている。ライン反転は、１ライン（１画素行）に相当する１Ｈ（Ｈは水平期間）の時間周期で映像信号の極性を反転させる駆動方式である。ドット反転は、互いに隣接する上下左右の画素毎に映像信号の極性を交互に反転させる駆動方式である。フレーム反転は、１画面に相当する１フレーム毎に全画素に書き込む映像信号を一度に同じ極性で反転させる駆動方式である。表示装置１は、上記の各駆動方式のいずれを採用することも可能である。
【００３０】
（保護機構の機能）
図５は、第１実施形態に係る表示装置の保護機構の機能を示す模式図である。図５は、２つのユニットのうち、垂直ドライバ２２１Ａと共通配線３１との間に補助配線６１が配置されたユニットのみを示す。なお、垂直ドライバ２２１Ｂと共通配線３１との間に補助配線６１が配置されたユニットも同様の機能を備える。
【００３１】
垂直ドライバ２２１Ａは、ゲート線駆動回路８０と、走査線（ゲート線）２４のそれぞれに信号を送る複数の信号線８２と、ゲート線駆動回路８０とゲート線駆動回路８０の信号線８２に対応する回路とを繋げる信号引き出し線８４と、を有する。ここで、図５では、信号引き出し線８４を１つのみ示したが、信号線８２と走査線２４との組み合わせに対応して複数配置されている。
【００３２】
ゲート線駆動回路８０は、信号線８２から送られる信号を処理して走査線２４に所定の信号を送る。具体的には、対応する走査線２４に信号線８２から送られる信号に基づいた電圧を印加する。複数の信号線８２は、ドライバＩＣ３と接続された配線であり、信号引き出し線８４を介してゲート線駆動回路８０と連結されている。複数の信号線８２は、ゲート線駆動回路８０との延在方向に沿って、配置されており、延在方向に直交する方向に並んでいる。信号線８２は、ゲート線駆動回路８０よりも基板の外側、つまり補助配線６１側に配置されている。信号引き出し線８４は、信号線８２とゲート線駆動回路８０とを接続している。
【００３３】
ここで、保護機構６０は、上述したように、補助配線６１が、ゲート線駆動回路８０と共通配線３１との間に配置されている。したがって、表示パネル２は、ゲート線駆動回路８０よりも基板の端部側に補助配線６１が配置される。また、補助配線６１は、上述したように、抵抗６２とコンデンサ６３とに接続されている。
【００３４】
表示装置１は、保護機構６０を設けることで、図５の矢印９０に示すように、表示パネル２の外から静電気が共通配線３１に流入し、共通配線３１に流入した静電気が矢印９２に示すように表示パネル２の内側、つまり、垂直ドライバ２２１Ａに向かった場合、矢印９２に示す静電気は、補助配線６１に流入する。補助配線６１には、コンデンサ６３が配置されているため、流入した静電気は、コンデンサ６３に蓄積され、補助配線の電圧は上昇しにくくなる。これにより、表示パネル２に流入した静電気は、補助配線６１に到達した時点で、補助配線６１から補助配線６１に隣接している信号線８２に流入可能な電圧になりにくい状態となる。また、保護機構６０は、コンデンサ６３に蓄積した静電気を抵抗６２で徐々に消費することができ、一定時間経過後は、コンデンサ６３が静電気を蓄積していない状態とすることができる。
【００３５】
このように、表示装置１は、表示パネル２の基板の垂直ドライバ２２１Ａ、２２１Ｂよりも端部側に保護機構６０を設け、表示パネル２の外部から流入してくる静電気を補助配線６１で受け、コンデンサ６３で蓄積することで、信号線８２に静電気が流れ、信号線８２に流れた静電気が信号引き出し線８４を介してゲート線駆動回路８０に流入してしまうことを抑制することができる。これにより、静電気が表示パネル２に悪影響を及ぼす恐れを低減することができる。
【００３６】
また、保護機構６０は、補助配線６１をコンデンサ６３と抵抗６２に接続させ、静電気をコンデンサ６３に一旦蓄積させ、その後抵抗６２で消費させることで、補助配線６１が接続しているアース（ＧＮＤ）に静電気が流入し、表示装置１のアースの電位が変化し、表示装置１内の他の機器、素子に影響を及ぼす恐れを低減することができる。
【００３７】
また、表示装置１は、保護機構６０を設け、外部から流入した静電気が垂直ドライバ２２１Ａ、２２１Ｂに悪影響を与える恐れを低減できることで、垂直ドライバ２２１Ａ、２２１Ｂから表示パネル２の基板の縁までの距離を短くしても、静電気が垂直ドライバ２２１Ａ、２２１Ｂに悪影響を与える恐れを低減できる。これにより、静電気の影響を抑えるために設ける基板の縁と垂直ドライバ２２１Ａとの距離や、配線と配線との距離を短くすることができ、基板を小型化することができる。
【００３８】
これにより、表示装置１は、外部からの静電気による放電が垂直ドライバ２２１Ａ、２２１Ｂ（駆動回路）に到達することを抑制することができ、かつ、額縁を細くして全体を小型化することができる。
【００３９】
ここで、保護機構６０は、補助配線６１に接続するコンデンサ６３、つまり静電気を蓄積する静電容量部の容量Ｃが大きいことが好ましい。具体的には、保護機構６０は、静電容量部の静電容量を１００ｎＦ以上とすることが好ましく、１０μＦ以上とすることがより好ましい。静電容量を１００ｎＦ以上、好ましくは１０μＦ以上とすることで、流入した静電気の電圧のピーク（最大値）を好適に低下することができ、保護機構６０よりも表示パネル２の内部側に静電気が流入することを抑制できる。また、仮に流入した場合も電圧を低下できるため、表示パネル２の内部側の回路等に悪影響を及ぼす恐れを低減することができる。例えば、１５０ｐＦ、２０ｋＶの放電源から３μＣの電荷が流入した場合も静電容量６３を前述のように大きくとることで、適切に電荷を蓄積することができる。
【００４０】
なお、本実施形態の表示装置１は、いずれも抵抗６２及びコンデンサ６３の補助配線６１との接続部と反対側の端部をアースに接続した等電位部であればよい。
【００４１】
保護機構６０は、補助配線６１に接続する抵抗６２、つまりコンデンサ６３に蓄積された電荷を消費する機器の抵抗値を高くすることが好ましい。具体的には、保護機構６０は、補助配線６１に接続する抵抗の抵抗値を、補助配線６１の配線の抵抗の１００倍以上とすることが好ましい。これにより、コンデンサ６３の電荷を抵抗６２で徐々に消費させることができ、アース、等電位部に電荷が多く流入し、悪影響を与える恐れを低減できる。
【００４２】
また、表示パネル２は、共通配線３１を表示パネル２の基板の外縁に沿って配置し、両端がドライバＩＣ３に接続した構造とすることで、配線の一箇所が断線しても、コモン電極にコモン信号Ｖｃｏｍを印加することができる。
【００４３】
ここで、表示パネル２は、補助配線６１を走査線２４に使用するメタル層と信号線２５に使用するメタル層との両方を積層した構造にすることが好ましい。これにより、補助配線６１を実質的に厚くすることができるため、配線の抵抗を低下させることができ、電気を流れやすくすることができる。電気を流れやすくすることで、より迅速にコンデンサ６３に電気を蓄積させることができ、電圧のピークを低下させることができる。
【００４４】
また、補助配線６１は、共通配線３１の抵抗は一般に、数十Ω〜１ｋΩであるので、補助配線６１は、配線の抵抗を、３００Ω以下とすることが好ましい。これにより、補助配線６１に電気を流れやすくすることができる。
【００４５】
ここで、補助配線は、共通配線に近接させることが好ましい。これにより補助配線と共通配線との間で放電が発生しやすくなり、共通配線に流入する静電気量を抑制できる。
【００４６】
（変形例）
図６は、第１実施形態に係る表示装置の変形例の保護機構の概略構成を示す模式図である。図６に示す表示装置１ａは、共通配線３１よりも基板の縁側、つまり、垂直ドライバ２２１Ａよりも遠い位置に補助配線６１を配置している。表示装置１ａは、補助配線６１を共通配線３１よりも基板の端部側に設けることで、矢印９０に示すように、外側から流入する静電気が補助配線６１に流入する。その後、静電気の強さによっては、矢印９２に示すように、補助配線６１から共通配線３１に流入する。
【００４７】
表示装置１ａは、補助配線６１を、垂直ドライバ２２１Ａ（保護対象の駆動回路）よりも基板の縁側に配置すれはよく、共通配線３１よりも基板の縁側に補助配線６１を配置してもよい。表示装置１ａは、垂直ドライバ２２１Ａ（保護対象の駆動回路）よりも基板の縁側に補助配線６１を配置することで、基板の外側から垂直ドライバ２２１Ａに向かう静電気を、垂直ドライバ２２１Ａに到達する前に補助配線６１に流入させることができる。これにより、静電気が垂直ドライバ２２１ａに悪影響を与える恐れを低減することができる。
【００４８】
また、表示装置１ａは、共通配線３１よりも基板の縁側に補助配線６１を配置することで、表示パネル２に流入した静電気を、共通配線３１に流入する前に補助配線６１に流入させることができる。これにより、静電気が共通配線３１に悪影響を与える可能性も低減することができる。さらに、補助配線６１よりも内側に静電気が流入した場合でも、共通配線３１に流入させることができ、表示装置１ａに悪影響が及ぶ恐れを低減することができる。
【００４９】
また、補助配線６１は、基板の表面に直交する方向から見た場合、共通配線３１と重なる位置に配置してもよい。重なる位置に配置しても、静電気を垂直ドライバ２２１Ａ、２２１Ｂに流入する前に補助配線６１に流入させることができ、同様の効果を得ることができる。
【００５０】
また、本実施形態では、表示装置１の駆動回路の保護機構６０としたがこれに限定されない。保護機構６０は、駆動回路を供える各種機器の保護機構として用いることができる。例えば、タッチパネル（タッチセンサ）の保護回路として用いることができる。
【００５１】
＜１−２．第２実施形態＞
図７は、第２実施形態に係る表示装置のシステム構成例を表すブロック図である。なお、上述した第１実施形態で説明したものと同じ構成要素には同一の符号を付して重複する説明は省略する。
【００５２】
図７に示す表示装置１ｂは、２つのユニットの補助配線６１が、配線１２０で接続されている。これにより、２つのユニットの補助配線６１が、電気的に繋がった状態となる。また、配線１２０も補助配線６１と同様に抵抗６２及びコンデンサ６３に接続された状態となる。表示装置１ｂは、抵抗６２及びコンデンサ６３に接続された配線を、表示パネル２の外縁の３辺、具体的には、ドライバＩＣ３が設けられている辺以外の辺に配置している。
【００５３】
これにより、表示装置１ｂは、配線１２０が配置されている辺についても外側から流入した静電気を配線１２０及びコンデンサ６３で蓄積できる。これにより、配線１２０が配置されている辺の外側から流入した静電気の電圧を低減することができ、当該静電気が表示パネル２に悪影響を与える恐れを低減することができる。また、表示装置１ｂは、２つの補助配線６１及び配線１２０が繋がっている。流入した静電気を２つのコンデンサ６３で蓄積することができる。これにより、設置したコンデンサ６３を有効に活用することができ、静電気を蓄積する静電容量部の容量をより大きくすることができる。
【００５４】
また、表示装置１ｂは、表示パネル２の四隅の領域Ａ１のうち、２つの領域Ａ１に抵抗６２及びコンデンサ６３を設けたが、配置位置は特に限定されない。また、１つの保護線に接続するコンデンサ６３の数も１つに限定されない。表示装置１ｂは、表示パネル２の基板の空いている領域に補助配線６１と接続したコンデンサ６３を配置することが好ましい。例えば、四隅の領域Ａ１の全て、つまり４箇所にコンデンサ６３を配置してもよい。また、表示エリア部２１の水平ドライバ２３１側とは反対側の辺と表示パネル２の隅との間の領域Ａ２にコンデンサ６３を配置してもよい。表示装置１ｂは、基板の空いている領域にそれぞれコンデンサ６３を配置することで、補助配線６１に接続しているコンデンサ６３の静電容量の総量をより大きくすることができる。なお、表示装置１ｂは、領域Ａ１、Ａ２にコンデンサ６３を作る場合、ＴＦＴ作成時に２つの導電層が絶縁層を挟むパターンを設けることで作成できる。つまり、保護機構６０は、コンデンサ６３の集合体の静電容量部でより多くの電荷を蓄積することができる。
【００５５】
＜１−３．第３実施形態＞
図８は、第３実施形態に係る表示装置のシステム構成例を表すブロック図である。なお、上述した第１実施形態で説明したものと同じ構成要素には同一の符号を付して重複する説明は省略する。
【００５６】
図８に示す表示装置１ｃは、一つのユニットの補助配線６１の垂直ドライバ２２１Ａと共通配線３１で挟まれた領域に多数のコンデンサ１３０が接続され、もう１つのユニットの補助配線６１の垂直ドライバ２２１Ｂと共通配線３１で挟まれた領域に多数のコンデンサ１３０が接続されている。コンデンサ１３０は、コンデンサ６３と同様にアースに接続されている。
【００５７】
表示装置１ｃは、垂直ドライバ２２１Ａ、２２１Ｂと共通配線３１で挟まれた領域に補助配線６１と接続するコンデンサ１３０を設けることで、補助配線６１に流入した静電気の電荷をすぐにコンデンサ１３０に蓄積することができる。これにより、流入した静電気の電圧のピークを下げることができ補助配線６１よりも表示パネル２の内側に静電気が流入する恐れを低減することができ、仮に流入した場合も流入した静電気が他の機器に悪影響を与える恐れを低減することができる。
【００５８】
また、表示装置１ｃは、コンデンサ１３０を多数設けることで、１つ１つのコンデンサ１３０の容量が小さくても全体の静電容量を大きくすることができる。これにより、垂直ドライバ２２１Ａ、２２１Ｂと共通配線３１で挟まれた領域の幅を狭く維持しつつ（コンデンサ１３０を配置する領域の幅を小さくしつつ）、静電容量を大きくすることができる。また、垂直ドライバ２２１Ａ、２２１Ｂと共通配線３１で挟まれた領域にコンデンサ１３０を列状に配置することで、垂直ドライバ２２１Ａ、２２１Ｂの延在方向に一定の間隔でコンデンサ１３０を設けることができる。これにより、垂直ドライバ２２１Ａ、２２１Ｂの延在方向のどの位置から補助配線６１に静電気が流入しても、流入した位置の近傍のコンデンサ１３０で電荷を蓄積することができる。これにより、流入した静電気の電圧のピークを下げることができ、補助配線６１よりも表示パネル２の内側に静電気が流入する恐れを低減することができ、仮に流入した場合も流入した静電気が他の機器に悪影響を与える恐れを低減することができる。
【００５９】
＜１−４．第４実施形態＞
図９は、第４実施形態に係る表示装置のシステム構成例を表すブロック図である。なお、上述した第１実施形態で説明したものと同じ構成要素には同一の符号を付して重複する説明は省略する。
【００６０】
図９に示す表示装置１ｄは、保護機構として、補助配線６１と、配線１４１と、抵抗１４２と、コンデンサ１４３とを含むユニットを２つ備える。２つのユニットは、垂直ドライバ２２１Ａ、２２１Ｂに対応して配置されている。表示装置１ｄは、基板１５０が、フレキシブルプリント基板５０を介して表示パネル２と接続されている。
【００６１】
補助配線６１は、配線１４１を介して抵抗１４２及びコンデンサ１４３と接続されている。配線１４１は、一方の端部が表示パネル２の補助配線６１と接続し、他方の端部が基板１５０の抵抗１４２及びコンデンサ１４３と接続している。配線１４１は、表示パネル２の基板、フレキシブルプリント基板５０、基板１５０に配置されている。抵抗１４２及びコンデンサ１４３は、基板１５０に配置されている。ここで、配線１４１は、一部の配線が共通配線３１と重なる部分を、表示パネル２の共通配線３１と異なる層に形成することで、配線を分離している。
【００６２】
表示装置１ｄは、抵抗１４２及びコンデンサ１４３を表示パネル２とは異なる基板１５０に配置することで、コンデンサ１４３を配置可能な領域をより大きくすることができる。これにより、容量の大きいコンデンサ１４３を配置することが可能となる。このように、表示装置１ｄは、抵抗１４２及びコンデンサ１４３を表示パネル２の外に設けることで、蓄積できる電荷を大きくすることができ、単位時間当たりに蓄積できる電荷の量を大きくすることができる。これにより、補助配線６１に流入した静電気のピークの電圧を低下させることができる。
【００６３】
＜１−５．計測結果＞
図１０は、表示装置の保護機構の構成を模式的に示すブロック図である。図１１は、表示装置の保護機構で検出される電圧の計測結果を示すグラフである。図１２は、表示装置の保護機構で検出される電圧の計測結果を示すグラフである。図１３は、表示装置の保護機構で検出される電圧の計測結果を示すグラフである。
【００６４】
図１０は、第１実施形態と同様の構成の表示装置の補助配線６１と共通配線３１と放電源１０２との抵抗と容量の関係を示している。放電源１０２は、外部から流入する静電気を想定したものであり、一般的な家電製品の放電試験に用いる抵抗と容量を備え、所定の電圧を印加している。抵抗１０４は、共通配線３１の配線の抵抗である。ショート部１０６は、共通配線３１と補助配線６１の間でショート、つまり電流が流れたと仮定した部分である。ショート部１０６は、共通配線３１と補助配線６１との間で電流が流れる際の抵抗が抵抗１０６ａとなる。抵抗１０８は、補助配線６１の配線の抵抗である。コンデンサ６３は、補助配線６１の端部に配置された容量である。コンデンサ１１０は、補助配線６１の途中、つまり共通配線３１と垂直ドライバ２２１Ａ、２２１Ｂとの間に配置された容量である。表示装置１は、共通配線３１と補助配線６１の間でショートが発生した場合、模式的に図１０に示す抵抗とコンデンサの構成とみなすことができる。本実施例では、共通配線３１の抵抗１０４の合計の抵抗を６００Ωとした。
【００６５】
上記条件に基づいて、コンデンサ６３の容量を１０μＦ、コンデンサ１１０の合計の容量を０とし、パラメータとして補助配線６１の抵抗値を種々の値とした場合のショート部１０６での電圧の変動を計測した。計測結果を図１１に示す。なお、ｔｒａｎ１．Ｖ（ｃ４）は抵抗１０８を無限大とし、ｔｒａｎ２．Ｖ（ｈ４）は抵抗１０８の合計を６００Ωとし、ｔｒａｎ３．Ｖ（ｈ４）は抵抗１０８の合計を３００Ωとし、ｔｒａｎ４．Ｖ（ｈ４）は抵抗１０８の合計を１５０Ωとした。
【００６６】
図１１に示すように保護機構は、補助配線６１の抵抗値を低くするほど、流れる電圧のピークを低下できることがわかる。また保護機構は、補助配線６１の抵抗値を、共通配線３１の配線の抵抗値以下とすることで、電圧のピークをより確実に低下できることがわかる。
【００６７】
なお、表示装置１は、外部の放電源１０２と共通配線３１とのショートと、共通配線３１と補助配線６１とのショートにタイムラグが生じる。したがって、実際に補助配線に生じる電圧は、図１０のショート部の電流よりも低くなる。
【００６８】
次に、コンデンサ６３の容量を１０μＦ、補助配線６１の抵抗値を３００Ωとし、パラメータとしてコンデンサ１１０の合計の容量を種々の値とした場合のショート部１０６での電圧の変動を計測した。計測結果を図１２に示す。なお、コンデンサ１１０の容量は、ｔｒａｎ１．Ｖ（Ｃ４）の容量を０とし、ｔｒａｎ２．Ｖ（Ｃ４）は容量を０．１ｎＦとし、ｔｒａｎ３．Ｖ（Ｃ４）は容量を１ｎＦし、ｔｒａｎ４．Ｖ（Ｃ４）は容量を１０ｎＦとした。
【００６９】
図１２に示すように保護機構は、コンデンサ６１１０の容量を大きくするほど発生する電圧のピークを低下でき、さらに、蓄積した電荷を消費する時間も短くすることができる。なお、図１２に示す例では、コンデンサ１１０の容量を１ｎＦとすることで、コンデンサ１１０にかかる電圧を１００Ｖ以下とすることができる。また、図１２に示す例では、図示していないがコンデンサ１１０の反対側配線の抵抗も考慮したものである。
【００７０】
次に、コンデンサ６３の容量を１０μＦ、コンデンサ１１０の合計の容量を０とし、補助配線６１の抵抗値を無限大として、共通配線３１に電荷が流入してから、共通配線３１と補助配線６１との間でショートが発生するまでの時間に２０ｎｓ係る設定で計測を行った、計測結果を図１３に示す。ｔｒａｎ２．Ｖ（ｈ４）が共通配線３１と補助配線６１との間でショートが発生するまでの時間に２０ｎｓ係る設定の計測結果である。図１３に示すように放電までにタイムラグが発生することで、ピークの電圧を下げることができる。
【００７１】
＜２．適用例＞
次に、図１４〜図２５を参照して、実施形態で説明した表示装置１の適用例について説明する。図１４〜図２５は、本実施形態に係る表示装置を適用する電子機器の一例を示す図である。本実施形態に係る表示装置１は、テレビジョン装置、デジタルカメラ、ノート型パーソナルコンピュータ、携帯電話等の携帯端末装置あるいはビデオカメラなどのあらゆる分野の電子機器に適用することが可能である。言い換えると、本実施形態に係る表示装置１は、外部から入力された映像信号あるいは内部で生成した映像信号を、画像あるいは映像として表示するあらゆる分野の電子機器に適用することが可能である。
【００７２】
（適用例１）
図１４に示す電子機器は、本実施形態に係る表示装置１が適用されるテレビジョン装置である。このテレビジョン装置は、例えば、フロントパネル５１１及びフィルターガラス５１２を含む映像表示画面部５１０を有しており、この映像表示画面部５１０は、本実施形態に係る表示装置である。
【００７３】
（適用例２）
図１５及び図１６に示す電子機器は、本実施形態に係る表示装置１が適用されるデジタルカメラである。このデジタルカメラは、例えば、フラッシュ用の発光部５２１、表示部５２２、メニュースイッチ５２３及びシャッターボタン５２４を有しており、その表示部５２２は、本実施形態に係る表示装置である。
【００７４】
（適用例３）
図１７に示す電子機器は、本実施形態に係る表示装置１が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、本実施形態に係る表示装置である。
【００７５】
（適用例４）
図１８に示す電子機器は、本実施形態に係る表示装置１が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、本実施形態に係る表示装置である。
【００７６】
（適用例５）
図１９〜図２５に示す電子機器は、本実施形態に係る表示装置１が適用される携帯電話機である。この携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。そのディスプレイ５５４またはサブディスプレイ５５５は、本実施形態に係る表示装置により構成されている。
【００７７】
また、本技術は、以下の構成をとることもできる。
（１）
基板と、
前記基板上に配置された駆動回路と、
前記基板上の前記駆動回路よりも外側に配置された共通配線と、
前記基板上の前記駆動回路よりも外側で、かつ、前記駆動回路の延在方向において、前記駆動回路が配置されている領域の全域に配置された補助配線と、
前記補助配線及び等電位部に接続された抵抗と、
前記補助配線及び前記等電位部に接続された静電容量部と、を有することを特徴とする表示装置。
（２）
前記補助配線は、前記共通配線よりも外側に配置されていることを特徴とする（１）に記載の表示装置。
（３）
前記補助配線は、前記共通配線よりも内側に配置されていることを特徴とする（１）に記載の表示装置。
（４）
前記静電容量部は、容量が１００ｎＦ以上であることを特徴とする（１）から（３）のいずれか一つに記載の表示装置。
（５）
前記静電容量部は、複数のコンデンサを含むことを特徴とする（１）から（４）のいずれか一つに記載の表示装置。
（６）
前記静電容量部は、前記基板の四隅の近傍の領域及び前記駆動回路が配置されている辺に直交する辺に沿った領域の少なくとも一箇所に配置されていることを特徴とする（１）から（５）のいずれか一つに記載の表示装置。
（７）
前記補助配線は、前記基板の表面に直交する方向において、走査線を形成する層と、信号線を形成する層との両方に配置されていること特徴とする（１）から（６）のいずれか一つに記載の表示装置。
（８）
（１）から（７）のいずれか一つに記載の表示装置と、前記表示装置に映像信号を供給する制御装置と、を有する電子機器。
【符号の説明】
【００７８】
１  表示装置
２  表示パネル
３  ドライバＩＣ
４  画素
２１  表示エリア部
２１Ａ  画素基板
２１Ｂ  対向基板
２１Ｃ  液晶層
２２  垂直駆動回路
２３  水平駆動回路
６０  保護機構
６１  補助配線
６２  抵抗
６３  コンデンサ
７１  ＴＦＴ基板
７２  画素電極
７３Ａ、７３Ｂ  偏光板
７５  ガラス基板
７６  カラーフィルタ
２２１Ａ、２２１Ｂ  垂直ドライバ
２３１  水平ドライバ
２３２  バッファ回路
【図１】
2014106427.tif 000003
【図２】
2014106427.tif 000004
【図３】
2014106427.tif 000005
【図４】
2014106427.tif 000006
【図５】
2014106427.tif 000007
【図６】
2014106427.tif 000008
【図７】
2014106427.tif 000009
【図８】
2014106427.tif 000010
【図９】
2014106427.tif 000011
【図１０】
2014106427.tif 000012
【図１１】
2014106427.tif 000013
【図１２】
2014106427.tif 000014
【図１３】
2014106427.tif 000015
【図１４】
2014106427.tif 000016
【図１５】
2014106427.tif 000017
【図１６】
2014106427.tif 000018
【図１７】
2014106427.tif 000019
【図１８】
2014106427.tif 000020
【図１９】
2014106427.tif 000021
【図２０】
2014106427.tif 000022
【図２１】
2014106427.tif 000023
【図２２】
2014106427.tif 000024
【図２３】
2014106427.tif 000025
【図２４】
2014106427.tif 000026
【図２５】
2014106427.tif 000027